(57)【特許請求の範囲】
【請求項１】
建物の開口部に設けられ、第一窓が開閉可能でありまたは固定設置され、建物の外壁をなす第一フレームと、
前記第一フレームと間隔を維持して建物の開口部に設けられ、第二窓が開閉可能でありまたは固定設置され、建物の内壁をなす第二フレームと、
前記第一フレームと前記第二フレームが一定の間隔を維持して連結されるように、前記第一フレームと前記第二フレームとの間に設けられる連結支持部と、
前記連結支持部に設けられ、室内に流入する日光を遮断するブラインドと、
を備える構成において、
前記第一フレームには、前記第一窓が開閉可能でありまたは固定設置される結合部が設けられ、
前記結合部は、
前記第一フレームに設けられる第一連結溝部と、
前記第一連結溝部に対向する第二連結溝部を有し、前記第一フレームと間隔を維持して配置される仕上げパネルと、
前記第一連結溝部と前記第二連結溝部に結合され、前記仕上げパネルを支持する連結部材と、
前記仕上げパネルと前記第一フレームとの間に設けられ、前記第一窓が密着して配置される密着ブロックと、
を備えることを特徴とするカーテンウォール二重外被システム建具。
【請求項２】
前記連結支持部は、
前記第一フレームに設けられる複数個の第一支持パネルと、
前記第一支持パネルに対向して前記第二フレームに設けられる複数個の第二支持パネルと、
一端部は複数個の前記第一支持パネル間に挿入され、他端部は複数個の前記第二支持パネル間に挿入される断熱部材と、を備えることを特徴とする請求項１に記載のカーテンウォール二重外被システム建具。
【請求項３】
前記第一支持パネルと前記第二支持パネルとの間に間隔が形成されるように、前記断熱部材は、前記第一支持パネルの長さと前記第二支持パネルの長さを合わせた長さよりも長く形成されることを特徴とする請求項２に記載のカーテンウォール二重外被システム建具。
【請求項４】
前記連結支持部は、前記第一支持パネルまたは前記第二支持パネルに挿入される前記断熱部材が、前記第一支持パネルまたは前記第二支持パネルの外側に分離されることを防止する分離防止部をさらに有することを特徴とする請求項２に記載のカーテンウォール二重外被システム建具。
【請求項５】
前記分離防止部は、
前記第一支持パネルまたは前記第二支持パネルに設けられる係止突起と、前記係止突起に対向する前記断熱部材に形成される係止溝部とを有することを特徴とする請求項４に記載のカーテンウォール二重外被システム建具。
【請求項６】
前記第一窓と前記第二窓との間に配置され、前記第一窓から室内に流入する昆虫または有害物質がろ過され、開閉可能に設けられる防虫スクリーンをさらに有することを特徴とする請求項１乃至５のいずれか一項に記載のカーテンウォール二重外被システム建具。
【請求項７】
前記仕上げパネルがガラス部材またはガラス部材を支持するフレームに密着するように、前記仕上げパネルを連結フレームに係合させる弾性固定部をさらに有することを特徴とする請求項１に記載のカーテンウォール二重外被システム建具。
【請求項８】
前記第一フレームには、前記連結部材が挿入される第一摺動溝部が形成され、前記第一摺動溝部には第一拘束傾斜部が設けられることを特徴とする請求項７に記載のカーテンウォール二重外被システム建具。
【請求項９】
前記連結部材には、前記第一摺動溝部に結合される第一摺動突起と、前記連結フレームに結合される第二摺動突起とが形成され、前記第一摺動突起には前記第一拘束傾斜部に対向する第一結合傾斜が設けられ、前記第二摺動突起には第二結合傾斜が設けられることを特徴とする請求項８に記載のカーテンウォール二重外被システム建具。
【請求項１０】
前記連結フレームは、
前記仕上げパネルと前記連結部材との間に間隔を維持するように延長される間隔維持部と、
前記間隔維持部の一端部に設けられる締付突起と、
前記間隔維持部の他端部に設けられる第二摺動溝部と、を備えることを特徴とする請求項８に記載のカーテンウォール二重外被システム建具。
【請求項１１】
前記弾性固定部は、
前記仕上げパネルから延長される支持部と、
前記支持部が屈曲して形成され、前記締付突起が係合される締付部と、
前記支持部から延長され、前記連結フレームと前記仕上げパネルとの間に弾性力を与える弾性部と、
前記弾性部により与えられる弾性力の逆方向に拘束力を与え、前記連結フレームを拘束する拘束部と、を備えることを特徴とする請求項１０に記載のカーテンウォール二重外被システム建具。
【請求項１２】
前記弾性部は、
前記支持部から屈曲する方向に延長される延長部と、
前記延長部から前記第一フレーム側に屈曲して延長される屈曲部と、
前記屈曲部から前記連結フレーム側に傾斜して延長される弾性傾斜部と、
前記連結フレームに回転可能に挿入されるように前記弾性傾斜部が屈曲してなるヒンジ係止部と、を備えることを特徴とする請求項１１に記載のカーテンウォール二重外被システム建具。
【請求項１３】
前記第二窓は、
前記第一フレームの開口部を覆うガラス部材と、
ガラス部材の枠を支持する窓枠フレームと、
前記窓枠フレームが第二フレームに密着するように前記第二フレームと前記窓枠フレームとの間に介在される弾性部材と、を備えることを特徴とする請求項１に記載のカーテンウォール二重外被システム建具。
【請求項１４】
（ａ）建物の開口部に設けられる第一フレームに複数個の第一支持パネルを設置し、前記第一支持パネルに対向して第二フレームに複数個の第二支持パネルを設置する段階と
（ｂ）複数個の前記第一支持パネルに断熱部材の一端部を挿入し、複数個の前記第二支持パネル間に前記断熱部材の他端部を挿入する段階と
（ｃ）前記第一支持パネルと前記第二支持パネルにブラインドの枠をなす支持フレームを固定させる段階と、を含み、
前記（ａ）段階の前記第一フレームは、
前記第一フレームと連結フレームとの間に間隔が維持されるように、前記第一フレームと前記連結フレームとの間に連結部材を介在させ、前記第一フレームは、建物の外壁または開口部に設置する段階と、
前記連結フレームに係合され、弾性力を与える弾性固定部を有する仕上げパネルを前記連結フレームに結合させ、このとき前記仕上げパネルと前記第一フレームとの間に第一窓が密着して配置される密着ブロックを介在させる段階と、
前記第一フレームと前記仕上げパネルとの間にガラス部材またはガラス部材を支持するフレームを挿入する段階を有する
ことを特徴とするカーテンウォール二重外被システム建具の施工方法。
【発明の詳細な説明】
【技術分野】
【０００１】
本発明は、カーテンウォール二重外被システム建具及びその施工方法に係り、さらに詳しくは、二重建具の内部にカーテンウォールをなすブラインドが設置され、二重建具の内部に断熱部が設けられ、伝導による熱損失を防ぎ、別途の締付部材無しにガラス部材を固定させることができる、カーテンウォール二重外被システム建具及びその施工方法に関する。
【背景技術】
【０００２】
一般に、建具は、構造物の窓と扉を一まとめに称する概念であって、一般の建具及びシステム建具が開発・施行されており、システム建具は、主に商業用高層建物及び住居用建築物のアパート、多目的ビル等におけるバルコニーで主に用いられており、最近になって、気密性、水密性、防音性、断熱性、耐風圧性等の要求条件を満たす技術が開発されている。
【０００３】
カーテンウォールの場合、建築物の構造性能及び外観を比較的多様に具現することができ、審美感を倍加させるために積極的に活用されている。
【０００４】
カーテンウォールは、組立て及び施工方法により、ユニットウォール（ｕｎｉｔ  ｗａｌｌ）方式とスティックウォール（ｓｔｉｃｋ  ｗａｌｌ）方式に分けられ、前者は、カーテンウォールの各構成部材を工場で予め組み立て、現場で設置する方法であって、工期を短縮し、後者は、カーテンウォールの各構成部材を現場で一つずつ組み立てて設置する方法であって、現場施行時、施工誤差を減らすことができるという長所がある。
【０００５】
特許文献１に記載された従来技術による建具は、垂直部材と垂直部材との間に長さが短い補助垂直部材を設置し、補助垂直部材の後方に片引き窓を設置することにより、外からみて、外装部材の境界をなす垂直部材と水平部材、補助垂直部材が一定の間隔を維持し、垂直部材間に設置される補助垂直部材の幅を垂直部材の幅と等しく形成し、垂直部材、水平部材、補助垂直部材の突出面が一直線をなすようにして外観を形成している。
【０００６】
一般のアパートにおける建具構造物の施工時に用いられる工法は、システム建具等の一般の建具を設置し、設置された窓の上下または側面に、別個のカーテンウォール構造を設置し、以降、建具フレームとは別個に設置したカーテンウォール構造の間にコーキングでシーリング処理をして仕上げる方式を取っている。
【０００７】
本発明の背景技術は、特許文献２に開示されている。
【先行技術文献】
【特許文献】
【０００８】
【特許文献１】韓国登録特許第１０‐０８２３６６３号公報（発明の名称：摺動建具が設けられた透明仕上げ方式のカーテンウォール構造）
【特許文献２】韓国登録特許第１０‐１５２４９７３号公報（２０１５年６月２日公告、発明の名称：アルミニウム‐ＰＶＣ一体型複合二重建具のカーテンウォール構造）
【発明の概要】
【発明が解決しようとする課題】
【０００９】
従来技術による二重建具は、二重建具をなすフレームと仕上げパネルとの間に別途のひさし部材が設けられていないので、建物の外壁から内部に照射される日光を遮断し難く、夏季に室内の温度が上昇することを抑制せず、建物の冷房費を節減し難いという問題点があった。
【００１０】
また、従来技術による複合二重建具は、フレームと仕上げパネルが互いに隣接して配置されるので、冬季に室内の暖気がフレームと補助フレームに沿って室外に流失することにより、暖房費を節減し難いという問題点があった。
【００１１】
このため、これを改善する必要性が高まっている。
【００１２】
本発明は、二重建具の内部にカーテンウォールをなすブラインドが設置され、二重建具の内部に断熱部が設けられ、伝導による熱損失を防ぐことができる、カーテンウォール二重外被システム建具及びその施工方法を提供することを目的とする。
【課題を解決するための手段】
【００１３】
建物の開口部に設けられ、第一窓が開閉可能でありまたは固定設置され、建物の外壁をなす第一フレームと、前記第一フレームと間隔を維持して建物の開口部に設けられ、第二窓が開閉可能でありまたは固定設置され、建物の内壁をなす第二フレームと、前記第一フレームと前記第二フレームが一定の間隔を維持して連結されるように、前記第一フレームと前記第二フレームとの間に設けられる連結支持部と、前記連結支持部に設けられ、室内に流入する日光を遮断するブラインドと、を備えることを特徴とする。
【００１４】
また、本発明の前記第一フレームには、前記第一窓が開閉可能でありまたは固定設置される結合部が設けられ、前記結合部は、前記第一フレームに設けられる第一連結溝部と、前記第一連結溝部に対向する第二連結溝部を有し、前記第一フレームと間隔を維持して配置される仕上げパネルと、前記第一連結溝部と前記第二連結溝部に結合され、前記仕上げパネルを支持する連結部材と、前記仕上げパネルと前記第一フレームとの間に設けられ、前記第一窓が密着して配置される密着ブロックと、を備えることを特徴とする。
【００１５】
また、本発明の前記連結支持部は、前記第一フレームに設けられる複数個の第一支持パネルと、前記第一支持パネルに対向して前記第二フレームに設けられる複数個の第二支持パネルと、一端部は複数個の前記第一支持パネル間に挿入され、他端部は複数個の前記第二支持パネル間に挿入される断熱部材と、を備えることを特徴とする。
【００１６】
また、本発明の前記第一支持パネルと前記第二支持パネルとの間に間隔が形成されるように、前記断熱部材は、前記第一支持パネルの長さと前記第二支持パネルの長さを合わせた長さよりも長く形成されることを特徴とする。
【００１７】
また、本発明の前記連結支持部は、前記第一支持パネルまたは前記第二支持パネルに挿入される前記断熱部材が、前記第一支持パネルまたは前記第二支持パネルの外側に分離されることを防止する分離防止部をさらに有することを特徴とする。
【００１８】
また、本発明の前記分離防止部は、前記第一支持パネルまたは前記第二支持パネルに設けられる係止突起と、前記係止突起に対向する前記断熱部材に形成される係止溝部とを有することを特徴とする。
【００１９】
また、本発明は、前記第一窓と前記第二窓との間に配置され、前記第一窓から室内に流入する昆虫または有害物質がろ過され、開閉可能に設けられる防虫スクリーンをさらに有することを特徴とする。
【００２０】
また、本発明は、前記仕上げパネルがガラス部材またはガラス部材を支持するフレームに密着するように、前記仕上げパネルを前記連結フレームに係合させる弾性固定部をさらに有することを特徴とする。
【００２１】
また、本発明の前記第一フレームには、前記連結部材が挿入される第一摺動溝部が形成され、前記第一摺動溝部には第一拘束傾斜部が設けられることを特徴とする。
【００２２】
また、本発明の前記連結部材には、前記第一摺動溝部に結合される前記第一摺動突起と、前記連結フレームに結合される第二摺動突起とが形成され、前記第一摺動突起には前記第一拘束傾斜部に対向する第一結合傾斜が設けられ、前記第二摺動突起には第二結合傾斜が設けられることを特徴とする。
【００２３】
また、本発明の前記連結フレームは、前記仕上げパネルと前記連結部材との間に間隔を維持するように延長される間隔維持部と、前記間隔維持部の一端部に設けられる締付突起と、前記間隔維持部の他端部に設けられる第二摺動溝部と、を備えることを特徴とする。
【００２４】
また、本発明の前記弾性固定部は、前記仕上げパネルから延長される支持部と、前記支持部が屈曲して形成され、前記締付突起が係合される締付部と、前記支持部から延長され、前記連結フレームと前記仕上げパネルとの間に弾性力を与える弾性部と、前記弾性部により与えられる弾性力の逆方向に拘束力を与え、前記連結フレームを拘束する拘束部と、を備えることを特徴とする。
【００２５】
また、本発明の前記弾性部は、前記支持部から屈曲する方向に延長される延長部と、前記延長部から前記第一フレーム側に屈曲して延長される屈曲部と、前記屈曲部から前記連結フレーム側に傾斜して延長される弾性傾斜部と、前記連結フレームに回転可能に挿入されるように前記弾性傾斜部が屈曲してなるヒンジ係止部と、を備えることを特徴とする。
【００２６】
また、本発明の前記第二窓は、前記第一フレームの開口部を覆うガラス部材と、前記ガラス部材の枠を支持する窓枠フレームと、前記窓枠フレームが第二フレームに密着するように前記第二フレームと前記窓枠フレームとの間に介在される弾性部材と、を備えることを特徴とする。
【００２７】
また、本発明の前記第二窓は、前記第二フレームに回転可能に設けられ、引き違い窓をなす窓枠フレームと、前記窓枠フレームに設けられるガラス部材と、ガラス部材と前記窓枠フレームとの間の間隔を仕上げるように前記窓枠フレームに設けられるシール固定部材と、を備えることを特徴とする。
【００２８】
さらに、本発明は、（ａ）建物の開口部に設けられる第一フレームに複数個の第一支持パネルを設置し、前記第一支持パネルに対向して第二フレームに複数個の第二支持パネルを設置する段階と、（ｂ）複数個の前記第一支持パネルに断熱部材の一端部を挿入し、複数個の前記第二支持パネル間に前記断熱部材の他端部を挿入する段階と、（ｃ）前記第一支持パネルと前記第二支持パネルにブラインドの枠をなす支持フレームを固定させる段階と、を含むことを特徴とする。
【００２９】
また、本発明の前記（ａ）段階の前記第一フレームは、前記第一フレームと連結フレームとの間に間隔が維持されるように、前記第一フレームと前記連結フレームとの間に連結部材を介在させ、前記第一フレームは、建物の外壁または開口部に設置する段階と、前記連結フレームに係合され、弾性力を与える弾性固定部を有する仕上げパネルを前記連結フレームに結合させる段階と、前記第一フレームと前記仕上げパネルとの間にガラス部材またはガラス部材を支持するフレームを挿入する段階と、前記仕上げパネルとガラス部材またはガラス部材を支持するフレームとの間にシール部材を塗布して硬化させる段階と、を含む施工方法により設置されることを特徴とする。
【発明の効果】
【００３０】
本発明によれば、建具の外壁をなす第一窓が支持される第一フレームと、建具の内壁をなす第二窓が支持される第二フレームとの間に、建物の外部から内部に照射される日光を遮断するブラインドが設けられるので、夏季に室内温度が上昇することを抑制し、夏季の冷房費を節減することができるという利点がある。
【００３１】
また、ブラインドを支持する支持フレームが第一フレームと第二フレームとの間に固定して介在されるので、窓を開放した状態で日光を遮断するようにブラインドを配置させても、室外から流入する風により支持フレームが揺れることなく、室内の換気を行うとともに、日光を遮断することができる建具を提供するという利点がある。
【００３２】
また、第一フレームと第二フレームとの間にブラインドを支持して設けられ、第一フレームと第二フレームとの間において伝導作用が進行することを抑制する伝導防止孔部及び断熱部材が設けられるので、建具を通じた熱損失を顕著に節減させることができるという利点がある。
【００３３】
また、ガラス部材を支持する仕上げパネルをワンタッチ操作で係合させる弾性固定部が設けられるので、ガラス部材の設置工程が簡素化し、仕上げパネルを固定させるための別途の締付部材及び締付作業が簡素化するので、カーテンウォール建具の設置に要する時間と費用を節減することができるという利点がある。
【００３４】
また、仕上げパネルの外壁とガラス部材との間に間隔を維持させる仕上げ部及び支持部が設けられるので、ガラス部材の連結部位に空間部が設けられ、ガラス部材の連結部位に形成される間隔から冷気または暖気が流失することを防ぎ、外力によりガラス部材が揺れるとき、仕上げ部及び支持部が設定範囲内で遊動して緩衝作用を行い、仕上げパネルの設置時、仕上げ部及び支持部が変形してから復元しながらガラス部材に密着して設置され得るという利点がある。
【図面の簡単な説明】
【００３５】
【図１】本発明の第１実施例によるカーテンウォール二重外被システム建具を示す正面図である。
【図２】本発明の第１実施例によるカーテンウォール二重外被システム建具を示す平断面図である。
【図３】本発明の第１実施例によるカーテンウォール二重外被システム建具を示す側断面図である。
【図４】本発明の第１実施例によるカーテンウォール二重外被システム建具の連結部及び連結支持部の上端を示す断面図である。
【図５】本発明の第１実施例によるカーテンウォール二重外被システム建具の連結部及び連結支持部の下端を示す断面図である。
【図６】本発明の第２実施例によるカーテンウォール二重外被システム建具の連結支持部を示す断面図である。
【図７】本発明の第３実施例によるカーテンウォール二重外被システム建具の仕上げパネルの連結構造を示す断面図である。
【図８】本発明の第３実施例によるカーテンウォール二重外被システム建具の仕上げパネルの連結構造を示す分解斜視図である。
【図９】本発明の第４実施例及び第５実施例による二重外被システム建具の仕上げパネルの連結構造を示す断面図である。
【図１０】本発明の第６実施例及び第７実施例による二重外被システム建具の仕上げパネルの連結構造を示す断面図である。
【図１１】本発明の第８実施例による二重外被システム建具を示す断面図である。
【図１２】本発明の第９実施例による二重外被システム建具を示す断面図である。
【図１３】本発明の第１０実施例による二重外被システム建具を示す断面図である。
【図１４】本発明の第１１実施例による二重外被システム建具を示す断面図である。
【発明を実施するための形態】
【００３６】
以下、添付された図面を参照して、本発明の好適な実施例にについて詳述する。
【００３７】
この過程で、図示された線の厚さや構成要素の大きさ等は、説明の明瞭性と便宜のため、誇張して示されたこともある。
【００３８】
また、後述する用語は、本発明における機能を考慮して定義された用語であって、これは、使用者、運用者の意図または慣例により異なる。
【００３９】
このため、これらの用語については、本明細書の全般にわたった内容に基づき定義されなければならない。
【００４０】
図１は、本発明の第１実施例によるカーテンウォール二重外被システム建具を示す正面図であり、図２は、本発明の第１実施例によるカーテンウォール二重外被システム建具を示す平断面図であり、図３は、本発明の第１実施例によるカーテンウォール二重外被システム建具を示す側断面図である。
【００４１】
また、図４は、本発明の第１実施例によるカーテンウォール二重外被システム建具の連結部及び連結支持部の上端を示す断面図であり、図５は、本発明の第１実施例によるカーテンウォール二重外被システム建具の連結部及び連結支持部の下端を示す断面図である。
【００４２】
図１乃至図５を参照すると、本発明の第１実施例によるカーテンウォール二重外被システム建具は、建物の開口部に設けられ、第一窓５２が開閉可能でありまたは固定設置され、建物の外壁をなす第一フレーム１０と、第一フレーム１０と間隔を維持して建物の開口部に設けられ、第二窓が開閉可能でありまたは固定設置され、建物の内壁をなす第二フレーム５４と、第一フレーム１０と第二フレーム５４が一定の間隔を維持して連結されるように、第一フレーム１０と第二フレーム５４との間に設けられる連結支持部７０と、連結支持部７０に設けられ、室内に流入する日光を遮断するブラインド８０と、を備える。
【００４３】
建物の外壁に形成される開口部には、玄関または窓をなすように第一フレーム１０が設けられ、第一フレーム１０には、第一窓５２が固定設置されまたは開閉可能に設けられるが、第一窓５２が開閉可能に設置される場合は、第一フレーム１０に設けられる開閉支持部１６により第一窓５２が開閉可能に設置される。
【００４４】
第一窓５２及び第二窓５６は、複数個のガラス部材２０が間隔を維持してフレームに設けられてなり、第一窓５２のフレームは、開閉支持部１６により回転可能に第一フレーム１０に設けられる。
【００４５】
開閉支持部１６は、第一フレーム１０に設けられ、内側端部が中央部側に屈曲され、外側端部及び内側端部にシール部材１７が設けられる第一支持部材１６ａと、第一支持部材１６ａに定着して密閉されるように、第一フレーム１０に回転可能に設けられる第二支持部材１６ｂと、を備える。
【００４６】
第二支持部材１６ｂには、上端部が第一支持部材１６ａ及び第一フレーム１０の外側に屈曲して突出される屈曲突出部１８が形成され、屈曲突出部１８の上面には、第一窓５２が閉まったとき、密着ブロック３８に密着する仕上げシーリング材１８ｂが設けられ、屈曲突出部１８の底面にはシール接着剤１８ａが設けられ、ガラス部材２０と第二支持部材１６ｂを連結する。
【００４７】
第一支持部材１６ａと第二支持部材１６ｂには、それぞれ定着溝部が形成され、それぞれの定着溝部には、断熱ブロック１７ａが設けられるので、第一支持部材１６ａ及び第二支持部材１６ｂに沿って熱エネルギーが伝導されることを防ぎ、熱損失を減少させる。
【００４８】
第一フレーム１０には、第一窓５２が開閉可能でありまたは固定設置される結合部３０が設けられ、結合部３０は、第一フレーム１０に設けられる第一連結溝部３２と、第一連結溝部３２に対向する第二連結溝部３４ａを有し、第一フレーム１０に間隔を維持して配置される仕上げパネル１３０と、第一連結溝部３２と第二連結溝部３４ａに結合され、仕上げパネル１３０を支持する連結部材１７０と、仕上げパネル１３０と第一フレーム１０との間に設けられ、第一窓５２が密着して配置される密着ブロック３８と、を備える。
【００４９】
第一連結溝部３２は、第一フレーム１０をなす第一水平フレーム１２及び第一垂直フレーム１４の前面から前方に突出して形成され、第一連結溝部３２は、両端部の内壁にフック状に類似した係止構造が形成されるので、第一連結溝部３２に挿入される連結部材１７０が係合される。
【００５０】
仕上げパネル１３０に設けられる第二連結溝部３４ａも、第一連結溝部３２と同一または類似した形状に形成され、第一連結溝部３２に対向して配置されるので、対称形状をなす連結部材１７０の両端部に第一連結溝部３２及び第二連結溝部３４ａが係合され、第一フレーム１０の前面に、仕上げパネル１３０が連結部材１７０により結合される。
【００５１】
連結部材１７０は、第一連結溝部３２に挿入結合される第一摺動突起１７２と、第二連結溝部３４ａに挿入結合される第二摺動突起１７４と、第一摺動突起１７２及び第二摺動突起１７４を連結して空間部を形成する中空孔部１７６と、を備える。
【００５２】
したがって、連結部材１７０の両端部、すなわち、第一摺動突起１７２及び第二摺動突起１７４をそれぞれ第一連結溝部３２及び第二連結溝部３４ａに挿入結合すると、第一フレーム１０と仕上げパネル１３０との間に中空孔部１７６を有する連結部材１７０が介在するとともに、第一フレーム１０と仕上げパネル１３０を結合させることになる。
【００５３】
ここで、連結部材１７０は、熱伝導率の低い合成樹脂材質を含んでなるので、建物の外壁に配置される仕上げパネル１３０から伝達される熱が第一フレーム１０に伝導されることを抑制し、第一フレーム１０から伝達される熱が仕上げパネル１３０に伝達されることを抑制して、熱損失を減少させることになる。
【００５４】
連結支持部７０は、第一フレーム１０に設けられる複数個の第一支持パネル７２と、第一支持パネル７２に対向して第二フレーム５４に設けられる複数個の第二支持パネル７４と、一端部は複数個の第一支持パネル７２間に挿入され、他端部は複数個の第二支持パネル７４間に挿入される断熱部材７６と、を備える。
【００５５】
第一フレーム１０の内壁には、１対の第一支持パネル７２が設けられ、第二フレーム５４には、第一支持パネル７２が対向して１対の第二支持パネル７４が設けられる。
【００５６】
断熱部材７６の一端部は、１対の第一支持パネル７２間に挿入され、断熱部材７６の他端部は、１対の第二支持パネル７４間に挿入され、断熱部材７６により、第二フレーム５４が第一フレーム１０に据え置かれた状態をなすことになる。
【００５７】
第一支持パネル７２と第二支持パネル７４の長さを合わせた長さは、断熱部材７６の長さよりも短く形成されるので、断熱部材７６により、第一支持パネル７２と第二支持パネル７４が連結されるとき、第一支持パネル７２と第二支持パネル７４との間に間隔が形成され、第一支持パネル７２から第二支持パネル７４に冷気または暖気が伝導されることを抑制することができる。
【００５８】
したがって、本実施例による連結支持部７０は、第一支持パネル７２、第二支持パネル７４、及び断熱部材７６により断熱機能を提供することができる。
【００５９】
以降、第一フレーム１０の外端部を建物の開口部に連結設置し、第一支持パネル７２と第二支持パネル７４の内側面にブラインド８０の枠をなす支持フレーム８２が設けられるので、第一フレーム１０の上端に設けられる第一支持パネル７２及び第二フレーム５４の上端に設けられる第二支持パネル７４と、第一フレーム１０の下端に設けられる第一支持パネル７２及び第二フレーム５４の下端に設けられる第二支持パネル７４との間に、ブラインド８０の上端をなす支持フレーム８２と、ブラインド８０の下端をなす支持フレーム８２とが固定設置される。
【００６０】
したがって、カーテンウォール構造をなすブラインド８０は、第一フレーム１０と第二フレーム５４との間の空間に配置され、第一窓５２を開放した状態で、日光を遮断するようにブラインド８０を位置させても、風によりブラインド８０が遊動することを防ぐことができる。
【００６１】
また、夏季に室内冷房を行う場合、第一窓５２を閉鎖した状態で、ブラインド８０を遮断状態とした後、第二窓５６を閉鎖すると、第一窓５２及び第二窓５６により、室外の熱が室内に流入することを防ぎことができ、ブラインド８０により、外部の日光が室内に流入することが防がれ、冷房効果を向上させることができる。
【００６２】
本実施例によるブラインド８０は、複数個の羽根部材からなるブラインド８０を操作して羽根部材を垂直方向に配置すると、第一フレーム１０と第二フレーム５４との間にブラインド８０からなる隔壁が生成されるので、冷房効率及び暖房効率を向上させる断熱機能をさらに提供することになる。
【００６３】
このとき、室外の熱は、第一フレーム１０に沿って室内側に伝導されるが、本実施例は、連結部材１７０により、仕上げパネル１３０から第一フレーム１０に熱が伝導されることを抑制し、断熱部材７６により、第一フレーム１０から第二フレーム５４に熱が伝導されることを二次で抑制するので、外部の熱が室内に伝導されることを効果的に防ぐことができる。
【００６４】
冷房を行わず、第一窓５２及び第二窓５６を開放して外気を室内に換気させる場合は、ブラインド８０の角度を調節して、日光は遮断し、外気は通過させることができるが、このとき、本実施例は、第一支持パネル７２、第二支持パネル７４、第一フレーム１０、及び第二フレーム５４により、ブラインド８０の枠に該当する支持フレーム８２が固定された状態を維持するので、風によりブラインド８０が遊動することが防止される。
【００６５】
本実施例の第一支持パネル７２と第二支持パネル７４との間に間隔が形成されるように、断熱部材７６は、第一支持パネル７２の長さと第二支持パネル７４の長さを合わせた長さよりも長く形成されるので、断熱部材７６の一端部を第一支持パネル７２間に挿入し、断熱部材７６の他端部を第二支持パネル７４間に挿入すると、第一支持パネル７２の端部と第二支持パネル７４の端部との間に間隔が形成される。
【００６６】
したがって、第一支持パネル７２及び第二支持パネル７４に沿って第一フレーム１０と第二フレーム５４との間において熱伝導が進行することが抑制されるので、冷房または暖房作動を行うとき、室内と室外との間で熱損失が発生することを防ぎ、暖房効率及び冷房効率を向上させることができる。
【００６７】
また、本実施例による連結支持部７０は、第一支持パネル７２または第二支持パネル７４に挿入される断熱部材７６が、第一支持パネル７２または第二支持パネル７４の外側に分離されることを防止する分離防止部７８をさらに有するので、第一支持パネル７２及び第二支持パネル７４に挿入された断熱部材７６は、分離防止部７８により第一支持パネル７２及び第二支持パネル７４の外側に分離されることが抑制される。
【００６８】
分離防止部７８は、第一支持パネル７２または第二支持パネル７４に設けられる係止突起７８ａと、係止突起７８ａに対向する断熱部材７６に形成される係止溝部７８ｂとを有する。
【００６９】
係止突起７８ａは、第一支持パネル７２または第二支持パネル７４の外側方向に傾斜面が形成されるフック状に形成され、１対の第一支持パネル７２または１対の第二支持パネル７４の中央部側に突出されるので、断熱部材７６を第一支持パネル７２または第二支持パネル７４の内部に挿入すると、傾斜面に沿って断熱部材７６が摺動しながら挿入される。
【００７０】
断熱部材７６の挿入が完了すると、係止突起７８ａが係止溝部７８ｂの内部に挿入され、傾斜面の反対側に形成される係止段部が係止溝部７８ｂに係合され、断熱部材７６が第一支持パネル７２または第二支持パネル７４の外側に移動することが抑制される。
【００７１】
また、本実施例は、第一窓５２と第二窓５６との間に配置され、第一窓５２から室内に流入する昆虫または有害物質がろ過され、開閉可能に設けられる防虫スクリーン９０をさらに有する。
【００７２】
防虫スクリーン９０は、第一フレーム１０の上端に設けられ、ロール状に巻き取られる収納部をなすロール収納部９２と、ロール収納部９２の外側に延長可能に、ロール収納部９２に巻き取られるスクリーン９４と、スクリーン９４の端部が固定されるように、第一フレーム１０の下端に設けられる固定部９６と、を備える。
【００７３】
したがって、使用者が、ロール収納部９２からスクリーン９４を下側に延長させて固定部９６にスクリーン９４の下端を固定させると、第一フレーム１０に形成される開口部がスクリーン９４により覆われるので、第一窓５２及び第二窓５６を開放した状態で、外部から室内に昆虫等の異物が流入することを防止可能になる。
【００７４】
以下、このように構成された本発明の一実施例によるカーテンウォール二重外被システム建具の施工方法について検討する。
【００７５】
本発明の一実施例によるカーテンウォール二重外被システム建具の施工方法は、建物の開口部に設けられる第一フレームに複数個の第一支持パネルを設置し、第一支持パネルに対向して第二支持パネルに複数個の第二支持パネルを設置する段階と、複数個の第一支持パネルに断熱部材の一端部を挿入し、複数個の第二支持パネル間に断熱部材の他端部を挿入する段階と、第一支持パネルと第二支持パネルにブラインドの枠をなす支持フレームを固定させる段階と、を含む。
【００７６】
先ず、建物の開口部に第一水平フレーム１２及び第一垂直フレーム１４を設置し、第一フレーム１０を施工し、第一水平フレーム１２と第一垂直フレーム１４との間に形成される空間に、第一支持部材１６ａ及び第二支持部材１６ｂを設置し、第一窓５２を開閉可能に第一フレーム１０に設置する。
【００７７】
第一フレーム１０のうち、一部の開口部には、ガラス部材２０が固定されて開閉されないように第一窓５２を設置し、多様な形状の建物の外壁を具現可能になる。
【００７８】
第一フレーム１０の前面には第一連結溝部３２が形成されるので、第一連結溝部３２に連結部材１７０の第一摺動突起１７２を挿入し、連結部材１７０の外側端部をなす第二摺動突起１７４に第二連結溝部３４ａを形成し、仕上げパネル１３０を第一フレーム１０の前面に設置し、第一窓５２が設置されない第一フレーム１０の端部には仕上げ断熱材３７を設置して、美麗に仕上がる。
【００７９】
このように第一フレーム１０及び第一窓５２の施工が完了すると、第一フレーム１０の背面に連結支持部７０を設置してブラインド８０を設置し、連結支持部７０の背面に第二フレーム５４を設置して、第二窓５６の施工を行う。
【００８０】
ここで、本実施例は、建物の最初施工時、第一フレーム１０、ブラインド８０、及び第二フレーム５４を設置して複合二重建具をなしてもよく、第一フレーム１０及び第一窓５２が設置された従来の建具の背面に連結支持部７０及び第二フレーム５４を設置して、外壁の建具を複合二重建具に改良する施工を行ってもよい。
【００８１】
第一支持パネル７２は、第一フレーム１０の背面に溶接等の工法で連結して施工してもよく、第一フレーム１０が最初に施工される場合は、第一支持パネル７２が一体で形成される第一フレーム１０を作製して設置してもよい。
【００８２】
本実施例による第一支持パネル７２と第二支持パネル７４には間隔が形成され、第一支持パネル７２及び第二支持パネル７４には断熱部材７６が挿入されるので、連結支持部７０を介して熱伝導が進行することを抑制することができ、建物の外部と室内との間の断熱性能が向上する効果が示される。
【００８３】
第二フレーム５４を設置するときは、第二水平フレーム５４ａ及び第二垂直フレーム５４ｂが格子状をなすようにし、第二水平フレーム５４ａ及び第二垂直フレーム５４ｂの背面にはインテリアパネル５４ｃを設置して、室内に露出する第二フレームを美麗に仕上げる。
【００８４】
図６は、本発明の第２実施例によるカーテンウォール二重外被システム建具の連結支持部を示す断面図である。
【００８５】
図６を参照すると、本発明の第２実施例によるカーテンウォール二重外被システム建具の連結支持部７０は、第一支持パネル７２または第二支持パネル７４に挿入される断熱部材７６が、第一支持パネル７２または第二支持パネル７４の外側に分離されることを防止する分離防止部７８をさらに有する。
【００８６】
したがって、第一フレーム１０の背面に設けられる１対の第一支持パネル７２に断熱部材７６の一端を挿入し、第二フレーム５４の前面に設けられる１対の第二支持パネル７４に断熱部材７６の他端を挿入すると、第二フレーム５４が第一フレーム１０の背面に間隔を維持して据え置かれる。
【００８７】
このとき、分離防止部７８の作用により、断熱部材７６が第一支持パネル７２及び第二支持パネル７４から分離されないので、第二フレーム５４は、第一フレーム１０の背面に据え置かれた状態を維持するようになり、作業者は、第二フレーム５４を建物の開口部に設置して第二フレーム５４の施工を容易に完了することができる。
【００８８】
分離防止部７８は、第一支持パネル７２または第二支持パネル７４に設けられる係止突起７８ａと、係止突起７８ａに対向する断熱部材７６に形成される係止溝部７８ｂとを有するので、断熱部材７６を第一支持パネル７２または第二支持パネル７４の内部に挿入すると、係止突起７８ａの傾斜面を沿って断熱部材７６の端部が摺動しながら圧縮され、断熱部材７６の挿入が行われる。
【００８９】
以降、断熱部材７６の挿入が完了すると、係止突起７８ａが係止溝部７８ｂに定着し、係止突起７８ａの段差に係止溝部７８ｂが係合されながら、断熱部材７６が第一支持パネル７２及び第二支持パネル７４から外側に移動しないように拘束することになる。
【００９０】
したがって、本実施例は、第一支持パネル７２と第二支持パネル７４を連結して支持するようになるので、第二フレーム５４を正確な位置に容易に施工可能になる。
【００９１】
図７は、本発明の第３実施例によるカーテンウォール二重外被システム建具の仕上げパネルの連結構造を示す断面図であり、図８は、本発明の第３実施例によるカーテンウォール二重外被システム建具の仕上げパネルの連結構造を示す分解斜視図である。
【００９２】
図７及び図８を参照すると、本発明の第３実施例によるカーテンウォール二重外被システム建具の仕上げパネルの固定装置は、建物の外壁または建物の開口部に設けられる第一フレーム１０と、第一フレーム１０に嵌合される連結部材１７０と、連結部材１７０に嵌合される連結フレーム１５０と、第一フレーム１０により支持されるガラス部材またはガラス部材を支持するフレームを拘束する仕上げパネル１３０と、仕上げパネル１３０がガラス部材またはガラス部材を支持するフレームに密着するように、仕上げパネル１３０を連結フレーム１５０に係合させる弾性固定部と、を備える。
【００９３】
建物の外壁や開口部に第一フレーム１０が格子状に施工され、それぞれの格子にガラス部材が設けられ、カーテンウォール建具をなし、建物の外壁をなす。
【００９４】
第一フレーム１０と連結フレーム１５０との間には、非伝導性材質を含む連結部材１７０が介在されるので、仕上げパネル１３０から伝導される冷気または暖気は、連結部材１７０により遮断され、本体フレームに伝導されずに遮断される。
【００９５】
第一フレーム１０には、連結部材１７０が挿入される第一摺動溝部１１４が形成され、第一摺動溝部１１４には第一拘束傾斜部１１６が設けられるので、第一摺動溝部１１４に連結部材１７０を長手方向に長く摺動させながら、第一フレーム１０と連結部材１７０を係合させることになる。
【００９６】
第一拘束傾斜部１１６は、第一摺動溝部１１４の内側に行くほど幅が狭くなる方向へ第一摺動溝部１１４の両側内壁に形成されるので、第一摺動溝部１１４に挿入される第一摺動突起１７２は、第一拘束傾斜部１１６により係合された状態を維持することになる。
【００９７】
連結部材１７０には、第一摺動溝部１１４に結合される第一摺動突起１７２と、連結フレーム１５０に結合される第二摺動突起１７４とが形成され、第一摺動突起１７２には第一拘束傾斜部１１６に対向する第一結合傾斜１７２ａが設けられ、第二摺動突起１７４には第二結合傾斜１７４ａが設けられる。
【００９８】
第一摺動突起１７２と第二摺動突起１７４は、端部側に行くほど幅が広くなる第一結合傾斜１７２ａ及び第二結合傾斜１７４ａが設けられ、台形に形成される。
【００９９】
したがって、第一摺動突起１７２を第一摺動溝部１１４に摺動させながら挿入すると、第一結合傾斜１７２ａが第一拘束傾斜部１１６に密着するとともに、第一摺動突起１７２が第一摺動溝部１１４から離脱することを防止し、第二摺動突起１７４を第二摺動溝部１５８に摺動させながら挿入すると、第二結合傾斜１７４ａが第二拘束傾斜部１５８ａに密着するとともに、第二摺動突起１７４が第二摺動溝部１５８から離脱することを防止することになる。
【０１００】
連結フレーム１５０は、仕上げパネル１３０と連結部材１７０との間に間隔を維持するように延長される間隔維持部１５２と、間隔維持部１５２の一端部に設けられる締付突起１５４と、間隔維持部１５２の他端部に設けられる第二摺動溝部１５８と、を備える。
【０１０１】
第二摺動溝部１５８には、第二摺動突起１７４が挿入されると、第二結合傾斜１７４ａに密着して第二摺動突起１７４を拘束する第二結合傾斜１７４ａが形成される。
【０１０２】
また、連結部材１７０は、中央部に長手方向に長く中空孔部１７６が形成されるので、連結フレーム１５０に伝達される冷気または暖気が連結部材１７０を通過するとき、連結部材１７０の断面積を狭くし、熱の伝導がさらに効果的に防止される効果を提供する。
【０１０３】
間隔維持部１５２、一端部の一側面には、側方向に突出する締付突起１５４が形成され、締付突起１５４には、間隔維持部１５２側に行くほど、締付突起１５４の断面積が狭くなるように第二係止傾斜１５４ａが形成される。
【０１０４】
したがって、弾性固定部を連結フレーム１５０に係合させるとき、弾性固定部をなす係止突起１３７ａの第一係止傾斜１３７ｂが、第二係止傾斜１５４ａに密着しながら、締付突起１５４と係止突起１３７ａの係合状態を維持することになる。
【０１０５】
連結フレーム１５０の他端部には、第二摺動溝部１５８が形成され、第二摺動溝部１５８の内壁の両側には、内側方向へ行くほど幅が狭くなるように第二拘束傾斜部１５８ａが形成されるので、第二摺動突起１７４が挿入された状態で、第二摺動溝部１５８の外側に分離されることを防止する。
【０１０６】
間隔維持部１５２と第二摺動溝部１５８との間に形成される段差には、締付突起１５４と同じである、間隔維持部１５２の一面にヒンジ溝部１５６が形成されるので、弾性固定部を連結フレーム１５０に係合させるとき、ヒンジ溝部１５６にヒンジ係止部１３８ｄを挿入した状態で、仕上げパネル１３０を回転させながら係合を行うことができる。
【０１０７】
仕上げパネル１３０は、第一フレーム１０の外側面と同一または類似した幅を有するパネル状に形成される前面部１３２と、前面部１３２の両端部が第一フレーム１０側に屈曲されてなる仕上げ部１３４とを有する。
【０１０８】
したがって、前面部１３２の背面中央部から延長する支持部１３６と、支持部１３６に設けられる締付部１３７、弾性部１３８及び拘束部１３９により、仕上げパネル１３０が連結フレーム１５０に結合されると、前面部１３２から第一フレーム１０側に屈曲される仕上げ部１３４と本体フレームとの間に間隔を維持して配置され、仕上げ部１３４と第一フレーム１０との間の間隔に、維持パネルまたはガラス部材を支持するフレームが挿入され、多数個の第一フレーム１０により形成される空間部にガラス部材が配置されるカーテンウォール構造をなすことになる。
【０１０９】
弾性固定部は、仕上げパネル１３０から延長する支持部１３６と、支持部１３６が屈曲して形成され、締付突起１５４が係合される締付部１３７と、支持部１３６から延長され、連結フレーム１５０と仕上げパネル１３０との間に弾性力を与える弾性部１３８と、弾性部１３８により与えられる弾性力の逆方向に拘束力を与え、連結フレーム１５０を拘束する拘束部１３９と、を備える。
【０１１０】
支持部１３６は、前面部１３２の背面中央部から内側方向に延長され、支持部１３６の端部は、他側方向に屈曲されて締付部１３７をなし、締付部１３７は、支持部１３６の端部が他側に屈曲してなる係止突起１３７ａを有する。
【０１１１】
係止突起１３７ａには、支持部１３６へ行くほど断面積が狭くなるように第一係止傾斜１３７ｂが形成され、第一係止傾斜１３７ｂは、締付突起１５４の第二係止傾斜１５４ａに密着しながら、締付突起１５４と係止突起１３７ａの係止状態を維持することになる。
【０１１２】
支持部１３６の中央部には、支持部１３６から他側に屈曲してなる弾性部１３８が設けられ、支持部１３６から一側に屈曲してなる拘束部１３９が設けられる。
【０１１３】
したがって、仕上げパネル１３０を連結フレーム１５０に係合させるときは、弾性部１３８の端部をヒンジ溝部１５６に挿入して仕上げパネル１３０を締付突起１５４側に回転させると、係止突起１３７ａと締付突起１５４が係合されるとともに、仕上げパネル１３０が連結フレーム１５０に係合される。
【０１１４】
このとき、連結フレーム１５０の端部は、拘束部１３９に密着しながらカバー部材が必要以上に回転することを防ぐとともに、仕上げパネル１３０と連結フレーム１５０の結合状態を維持することになる。
【０１１５】
弾性部１３８は、支持部１３６から屈曲される方向に延長する延長部１３８ａと、延長部１３８ａから第一フレーム１０側に屈曲して延長される屈曲部１３８ｂと、屈曲部１３８ｂから連結フレーム１５０側に傾斜して延長される弾性傾斜部１３８ｃと、連結フレーム１５０に回転可能に挿入されるように弾性傾斜部１３８ｃが屈曲してなるヒンジ係止部１３８ｄと、を備える。
【０１１６】
延長部１３８ａは、支持部１３６の中央部から他側方向に屈曲してなり、延長部１３８ａの端部から第一フレーム１０側に屈曲されて屈曲部１３８ｂをなし、屈曲部１３８ｂの端部から一側方向に傾斜して延長されて弾性傾斜部１３８ｃをなし、弾性傾斜部１３８ｃの端部から他側にさらに傾斜して屈曲されてヒンジ係止部１３８ｄをなす。
【０１１７】
したがって、仕上げパネル１３０を他側に傾斜して配置させた後、ヒンジ係止部１３８ｄをヒンジ溝部１５６に挿入した状態で、仕上げパネル１３０を第一フレーム１０の前面と平行にして回転させると、ヒンジ係止部１３８ｄ及び弾性傾斜部１３８ｃが所定量だけ変形するとともに、係止突起１３７ａが締付突起１５４に係合され、間隔維持部１５２の端部が拘束部１３９に密着し、連結フレーム１５０と仕上げパネル１３０の係合が行われる。
【０１１８】
このとき、係合される締付突起１５４と係止突起１３７ａは、互いに密着する面に、それぞれ第一係止傾斜１３７ｂ及び第二係止傾斜１５４ａが形成されるので、第一係止傾斜１３７ｂと第二係止傾斜１５４ａが密着しながら、係合状態をさらに堅固に維持することができる。
【０１１９】
以降、仕上げ部１３４と第一フレーム１０との間の間隔に、ガラス部材またはガラス部材を支持するフレームを挿入し、仕上げパネル１３０と第一フレーム１０との間の間隔にガラス部材が支持されるカーテンウォール構造をなす。
【０１２０】
図９は、本発明の第４実施例及び第５実施例による二重外被システム建具の仕上げパネルの連結構造を示す断面図であり、図１０は、本発明の第６実施例及び第７実施例によるカーテンウォール二重外被システム建具の仕上げパネルの連結構造を示す断面図である。
【０１２１】
図９及び図１０を参照すると、本発明の第４実施例及び第５実施例によるカーテンウォール二重外被システム建具は、ガラス部材２０が三重ガラスからなる場合に該当し、第一フレーム１０と仕上げパネル１３０との間の間隔ｂが、二重ガラスからなる場合に比べて相対的に広く形成され、仕上げパネル１３０の厚さｃについては、第４実施例による仕上げパネルの厚さｃと、第５実施例による仕上げパネルの厚さｃ‐１が異なる特徴がある。
【０１２２】
第５実施例は、仕上げパネル１３０の厚さｃ‐１が相対的に薄く形成されるので、建具システムの全厚さａ‐１が、第４実施例による建具システムの全厚さａに比べて狭く形成される効果を示す。
【０１２３】
第６実施例及び第７実施例によるカーテンウォール二重外被システム建具の全厚さａ‐２は、互いに同一であるが、第６実施例は、二重ガラスが設置される場合であり、第７実施例は、単層ガラスが設置される場合であるので、第一フレーム１０と仕上げパネル１３０との間の間隔を比較すると、第６実施例による第一フレーム１０と仕上げパネル１３０との間の間隔ｂ‐１が、第７実施例による第一フレーム１０と仕上げパネル１３０との間の厚さｂ‐２に比べて広く形成され、第６実施例による仕上げパネル１３０の厚さｃ‐２は、第７実施例による仕上げパネル１３０の厚さｃ‐３に比べて狭く形成される特徴がある。
【０１２４】
このように建具システムの全厚さａ、第一フレーム１０と仕上げパネル１３０との間間隔ｂ、及び仕上げパネル１３０の厚さｃを可変させながら、設置場所の構造に適合した建具システムを設置することができる。
【０１２５】
図１１は、本発明の第８実施例による二重外被システム建具を示す断面図である。
【０１２６】
図１１を参照すると、本発明の第８実施例による二重外被システム建具の第二窓５６は、開口部を覆うガラス部材２０と、ガラス部材２０の枠を支持する窓枠フレーム２２と、窓枠フレーム２２が第二フレーム５４に密着するように、第二フレーム５４と窓枠フレーム２２との間に介在される弾性部材２４と、を備える。
【０１２７】
第二フレーム５４には、第二窓５６が摺動して開閉される引き違い窓が設置可能に摺動溝部が形成され、摺動溝部の上面と窓枠フレーム２２との間には弾性部材２４が介在され、窓枠フレーム２２を摺動溝部の底面に密着して配置させる。
【０１２８】
したがって、窓枠フレーム２２と第二フレーム５４との間の間隔から空気が流失することにより冷房または暖房効率が落ちることを防止することができる。
【０１２９】
また、本実施例は、第一フレーム１０と第二フレーム５４に摺動溝部が形成され、第一窓５２と第二窓５６が摺動可能に設置される引き違い窓として設置され、第一フレーム１０の前面の外壁にスクリーン９４が設置される簡単な構造であるので、二重外被システム建具を作製するのに要する時間及び費用を節減することができる。
【０１３０】
第一フレーム１０の前面には、締付部材により結合され、突出部を有する固定部材９６ａが設置され、固定部材９６ａの突出部には、スクリーン９４の枠を支持する固定部９６が挿入され、スクリーン９４を第一フレーム１０の前面に配置させる。
【０１３１】
図１２は、本発明の第９実施例による二重外被システム建具を示す断面図である。
【０１３２】
図１２を参照すると、本発明の第９実施例による二重外被システム建具の第二窓５６は、第二フレーム５４に回転可能に設けられ、引き違い窓をなす窓枠フレーム２２ａと、窓枠フレーム２２ａに設けられるガラス部材２０と、ガラス部材２０と窓枠フレーム２２ａとの間を仕上げるように窓枠フレーム２２ａに設けられるシール固定部材２４ａと、を備える。
【０１３３】
また、本実施例の第一フレーム１０には、摺動溝部が形成され、摺動溝部に沿って開閉可能に引き違い窓からなる第一窓５２が設けられる。
【０１３４】
第一窓５２の前面には、スクリーン９４が設けられる固定部９６及び固定部材９６ａが設けられるので、第一フレーム１０の前面を覆うスクリーン９４が建具の外壁に設けられることになる。
【０１３５】
図１３は、本発明の第１０実施例による二重外被システム建具を示す断面図である。
【０１３６】
図１３を参照すると、本発明の第１０実施例による二重外被システム建具の第一窓５２には、第一窓５２を上部及び下部に区画する第一水平フレーム１２が設けられ、第一水平フレーム１２の背面にはスクリーン９４を固定するための固定部材９６ａが設けられるように垂直方向に長く配置される第一垂直支持台１２ａが締付部材により設けられる。
【０１３７】
また、連結支持部７０の上部から下側に突出し、固定部材９６ａが締付部材により設けられる第二垂直支持台１２ｂが設けられるので、第一垂直支持台１２ａと第二垂直支持台１２ｂとの間にスクリーン９４が設けられる。
【０１３８】
したがって、本実施例は、第一フレーム１０と第二フレーム５４との間にブラインド８０が設けられ、ブラインド８０と第一フレーム１０との間にスクリーン９４が設けられ、建具の外壁にスクリーン９４が露出せず、美麗に仕上げることができる。
【０１３９】
本実施例の第二窓５６は、第二フレーム５４に回転可能に設けられ、引き違い窓をなす窓枠フレーム２２ａと、窓枠フレーム２２ａに設けられるガラス部材２０と、ガラス部材２０と窓枠フレーム２２ａとの間の間隔を仕上げるように窓枠フレーム２２ａに設けられるシール固定部材２４ａと、を備える。
【０１４０】
図１４は、本発明の第１１実施例による二重外被システム建具を示す断面図である。
【０１４１】
図１４を参照すると、本発明の第１１実施例による二重外被システム建具の第一窓５２には、第一窓５２を上部及び下部に区画する第一水平フレーム１２が設けられ、連結支持部７０の下部から上側に突出し、固定部材９６ａが締付部材により設けられる第一垂直支持台１２ａと、連結支持部７０の上部から下側に突出し、固定部材９６ａが締付部材により設けられる第二垂直支持台１２ｂとが設けられ、第一垂直支持台１２ａと第二垂直支持台１２ｂとの間にスクリーン９４が設けられる。
【０１４２】
したがって、本実施例は、第一フレーム１０と第二フレーム５４との間にブラインド８０が設けられ、ブラインド８０と第一フレーム１０との間にスクリーン９４が設けられ、建具の外壁にスクリーン９４が露出せず、美麗に仕上げることができる。
【０１４３】
本実施例の第二窓５６は、開口部を覆うガラス部材２０と、ガラス部材２０の枠を支持する窓枠フレーム２２と、窓枠フレーム２２が第二フレーム５４に密着するように、第二フレーム５４と窓枠フレーム２２との間に介在される弾性部材２４と、を備える。
【０１４４】
第二フレーム５４には、第二窓５６が摺動して開閉される引き違い窓が設けられるように摺動溝部が形成され、摺動溝部の上面と窓枠フレーム２２との間には、弾性部材２４を介して窓枠フレーム２２を摺動溝部の底面に密着して配置させる。
【０１４５】
したがって、窓枠フレーム２２と第二フレーム５４との間の間隔に空気が流失することにより冷房または暖房効率が落ちることを防止することができる。
【０１４６】
これにより、二重建具の内部にカーテンウォールをなすブラインドが設置され、二重建具の内部に断熱部が設けられて、伝導による熱損失が防がれ、別途の締付部材無しに、ガラス部材を固定させることができるカーテンウォール二重外被システム建具及びその施工方法を提供することができる。
【０１４７】
本発明は、図示される一実施例を参考として説明したが、これは例示的なものに過ぎず、当該技術の属する分野における通常の知識を有する者であれば、これに基づき様々な変形及び均等な他の実施例が可能であることが理解されるだろう。
【０１４８】
また、カーテンウォール二重外被システム建具及びその施工方法を挙げて説明したが、これは例示的なものに過ぎず、カーテンウォール二重外被システム建具及びその施工方法ではなく、他の製品にも本発明のシステム建具及びその施工方法が用いられ得る。
【０１４９】
したがって、本発明の真正な技術的保護範囲は、下記の特許請求の範囲により定められなければならない。
【符号の説明】
【０１５０】
１０  第一フレーム
１２  第一水平フレーム
１４  第一垂直フレーム
１６  開閉支持部
１６ａ  第一支持部材
１６ｂ  第二支持部材
１７  シール部材
１７ａ  断熱ブロック
１８  屈曲突出部
１８ａ  シール接着剤
１８ｂ  仕上げシーリング材
３０  結合部
３２  第一連結溝部
１３０  仕上げパネル
３４ａ  第二連結溝部
１７０  連結部材
１７６  中空孔部
３７  仕上げ断熱材
３８  密着ブロック
５２  第一窓
５４  第二フレーム
５４ａ  第二水平フレーム
５４ｂ  第二垂直フレーム
５４ｃ  インテリアパネル
５６  第二窓
７０  連結支持部
７２  第一支持パネル
７４  第二支持パネル
７６  断熱部材
７８  分離防止部
８０  ブラインド
８２  支持フレーム
９０  防虫スクリーン
９２  ロール収納部
９４  スクリーン
９６  固定部
１１２  第一連結部
１１４  第一摺動溝部
１１６  第一拘束傾斜部
１３２  前面部
１３４  仕上げ部
１３６  支持部
１３７  締付部
１３７ａ  係止突起
１３７ｂ  第一係止傾斜
１３８  弾性部
１３８ａ  延長部
１３８ｂ  屈曲部
１３８ｃ  弾性傾斜部
１３８ｄ  ヒンジ係止部
１５０  連結フレーム
１５２  間隔維持部
１５４  締付突起
１５４ａ  第二係止傾斜
１５６  ヒンジ溝部
１５８  第二摺動溝部
１５８ａ  第二拘束傾斜部
１７２  第一摺動突起
１７２ａ  第一結合傾斜
１７４  第二摺動突起
１７４ａ  第二結合傾斜
【図１】
0006532608.tif 000002
【図２】
0006532608.tif 000003
【図３】
0006532608.tif 000004
【図４】
0006532608.tif 000005
【図５】
0006532608.tif 000006
【図６】
0006532608.tif 000007
【図７】
0006532608.tif 000008
【図８】
0006532608.tif 000009
【図９】
0006532608.tif 000010
【図１０】
0006532608.tif 000011
【図１１】
0006532608.tif 000012
【図１２】
0006532608.tif 000013
【図１３】
0006532608.tif 000014
【図１４】
0006532608.tif 000015